(57)【要約】【課題】ある番組の視聴あるいは録画を中断することなく、その番組に関連する番組を探すことなく簡単に選局することが可能な情報機器を提供する。【解決手段】デジタル放送番組を受信可能な２以上のチューナを備える情報機器であって、一方のチューナで受信するデジタル放送番組を特定する番組情報に、番組情報で特定されるデジタル放送番組に関連するデジタル放送番組を特定するＥＰＧチューンが含まれているかどうかを検出するＥＰＧチューン検出手段と、ＥＰＧチューン検出手段によりＥＰＧチューンが検出されたとき、ＥＰＧチューン検出手段により検出されたＥＰＧチューンに基いて、番組情報で特定されるデジタル放送番組に関連するデジタル放送番組を他方のチューナで選局する選局手段とを備える。【選択図】図３
2014158213.tif 000002
【特許請求の範囲】
【請求項１】
デジタル放送番組を受信可能な２以上のチューナを備える情報機器であって、
一方のチューナで受信するデジタル放送番組を特定する番組情報に、前記番組情報で特定されるデジタル放送番組に関連するデジタル放送番組を特定するＥＰＧチューンが含まれているかどうかを検出するＥＰＧチューン検出手段と、
前記ＥＰＧチューン検出手段によりＥＰＧチューンが検出されたとき、前記ＥＰＧチューン検出手段により検出されたＥＰＧチューンに基いて、前記番組情報で特定されるデジタル放送番組に関連するデジタル放送番組を他方のチューナで選局する選局手段とを備えることを特徴とする情報機器。
【請求項２】
受信するデジタル放送番組を録画する録画手段をさらに備え、
前記一方のチューナで受信するデジタル放送番組を視聴するとき、前記選局手段により他方のチューナで選局された前記関連するデジタル放送番組を前記録画手段により録画することを特徴とする請求項１記載の情報機器。
【請求項３】
受信するデジタル放送番組を録画する録画手段をさらに備え、
前記一方のチューナで受信するデジタル放送番組を前記録画手段により録画するとき、前記選局手段により他方のチューナで選局された前記関連するデジタル放送番組を視聴することを特徴とする請求項１記載の情報機器。
【請求項４】
受信するデジタル放送番組を録画する録画手段をさらに備え、
前記一方のチューナで受信するデジタル放送番組を前記録画手段により録画するとき、前記選局手段により他方のチューナで選局された前記関連するデジタル放送番組を前記録画手段により録画することを特徴とする請求項１記載の情報機器。
【請求項５】
前記ＥＰＧチューン検出手段により検出されたＥＰＧチューンを表示する表示制御手段をさらに備えることを特徴とする請求項１から４の何れか１項に記載の情報機器。
【請求項６】
前記表示制御手段により表示されたＥＰＧチューンを選択する選択手段をさらに備え、
前記選択手段によりＥＰＧチューンが選択されたとき、前記選局手段により前記番組情報で特定されるデジタル放送番組に関連するデジタル放送番組を他方のチューナで選局することを特徴とする請求項５記載の情報機器。
【請求項７】
デジタル放送番組を受信可能な２以上のチューナを備える情報機器に実行させるプログラムであって、
一方のチューナで受信するデジタル放送番組を特定する番組情報に、前記番組情報で特定されるデジタル放送番組に関連するデジタル放送番組を特定するＥＰＧチューンが含まれているかどうかを検出するＥＰＧチューン検出処理と、
前記ＥＰＧチューンが検出されたとき、前記検出されたＥＰＧチューンに基いて、前記番組情報で特定されるデジタル放送番組に関連するデジタル放送番組を他方のチューナで選局する選局処理とを前記情報機器に実行させることを特徴とするプログラム。
【発明の詳細な説明】
【技術分野】
【０００１】
本発明は、デジタル放送を受信可能な情報機器、及びプログラムに関する。
【背景技術】
【０００２】
従来から、デジタル放送のデータ放送技術の１つに、ＥＰＧチューン（ｅｐｇＴｕｎｅ）というものがよく知られている。また、データ放送が、デジタル放送において映像音声とは別に天気予報などをテレビ画面に表示させるものであることも周知である。ＥＰＧチューンとは、データ放送を操作することにより、視聴チャンネルを切り替えることができる技術である。
【０００３】
現在のＥＰＧチューンに関する運用例を説明する。例えば、ＢＳ１０１ｃｈで『マリ○ーズｖｓヤン○ース』の野球中継が放送され、ＢＳ１０２ｃｈで『レン○ャーズｖｓレッ○ソックス』の野球中継が放送されているとする。ここで、視聴者がＢＳ１０１ｃｈを選局すると、『マリ○ーズｖｓヤン○ース』の野球中継とともにテレビ画面の左端に≪青：レン○ャーズｖｓレッ○ソックスへ≫の文字情報が表示される。このとき、視聴者がリモコンの「青」ボタンを押すと、ＢＳ１０２ｃｈに選局され、『レン○ャーズｖｓレッ○ソックス』を視聴できることとなる。
【０００４】
つまり、上記≪青：レン○ャーズｖｓレッ○ソックスへ≫の文字情報がデータ放送である。なお、リモコンの青ボタンを押すという操作は一例であり、リモコンに配されたボタンを操作する以外にも、データ放送を利用して選局操作を受け付けることができる。
【０００５】
上述したＥＰＧチューンに関する技術が、非特許文献１、非特許文献２、及び非特許文献３に記載されている。
【先行技術文献】
【非特許文献】
【０００６】
【非特許文献１】ARIB STD-B24 第二編第7章 7.6 放送用拡張関数(Browser擬似オブジェクト)（http://www.arib.or.jp/english/html/overview/doc/2-STD-B24v5_5-2p3-1.pdf）
【非特許文献２】ARIB STD-B24 第二編付録１ 8.5 その他の拡張関数に関するガイドライン（http://www.arib.or.jp/english/html/overview/doc/2-STD-B24v5_5-2p3-2.pdf）
【非特許文献３】ARIB TR-B14 第三編 5.12.6 Browser疑似オブジェクト（http://www.arib.or.jp/english/html/overview/doc/4-TR-B14v4_8-1p3-2.pdf）
【発明の概要】
【発明が解決しようとする課題】
【０００７】
ところで、デジタル放送チューナが１つの場合、ＥＰＧチューンを機能させると、それまで視聴していた番組が放送されるチャンネルから別の関連する番組が放送されるチャンネルに選局されるため、当然、それまで視聴していた番組を視聴することはできない。上述の例で言えば、視聴者がリモコンの「青」ボタンを押すと、ＥＰＧチューンが機能してＢＳ１０２ｃｈに選局され、『レン○ャーズｖｓレッ○ソックス』を視聴できるが、それまで選局していたＢＳ１０１ｃｈで放送されている『マリ○ーズｖｓヤン○ース』を視聴することはできない。
【０００８】
また、あるチャンネルで放送される番組を録画している場合は、ＥＰＧチューン機能を無効化している。録画中は別のチャンネルへの選局ができないからである。仮に、ある番組を録画中に同一チューナで別のチャンネルへ選局したいときは、録画処理を中断しなければならない。
【０００９】
一方、デジタル放送チューナが２つの場合、ＥＰＧチューンを機能させずとも、一方のチューナでの録画処理を継続したまま、もう一方の空いているチューナで関連する番組を視聴することは可能である。しかし、この場合は視聴者自身が別の番組を探さなければならない。
【００１０】
本発明は、このような実情に鑑みてなされたものであって、ある番組の視聴あるいは録画を中断することなく、その番組に関連する番組を探すことなく録画あるいは視聴することが可能な情報機器を提供することを目的とする。
【課題を解決するための手段】
【００１１】
上記の課題を解決するため、本発明の情報機器は、デジタル放送番組を受信可能な２以上のチューナを備える情報機器であって、一方のチューナで受信するデジタル放送番組を特定する番組情報に、番組情報で特定されるデジタル放送番組に関連するデジタル放送番組を特定するＥＰＧチューンが含まれているかどうかを検出するＥＰＧチューン検出手段と、ＥＰＧチューン検出手段によりＥＰＧチューンが検出されたとき、ＥＰＧチューン検出手段により検出されたＥＰＧチューンに基いて、番組情報で特定されるデジタル放送番組に関連するデジタル放送番組を他方のチューナで選局する選局手段とを備えることを特徴とする。
【発明の効果】
【００１２】
本発明によれば、ある番組の視聴あるいは録画を継続したまま、その番組に関連する番組を探すことなく録画あるいは視聴することができる。
【図面の簡単な説明】
【００１３】
【図１】本発明の実施形態の情報機器における機能ブロックを表す模式図である。
【図２】本発明の実施形態の情報機器の表示画面の表示例を表す模式図である。
【図３】本発明の実施形態の情報機器における処理手順を表すフローチャートである。
【発明を実施するための形態】
【００１４】
本発明の実施形態の情報機器について図面を用いて以下説明する。なお、本実施形態については、複数のテレビ放送受信チューナを搭載したパーソナルコンピュータ（ＰＣ）に内蔵されるハードディスク等の記憶装置に放送番組を記録する構成を例として説明するが、本発明はこれに限定されず、複数チューナを有する地上波デジタル放送テレビジョンに適用されるものであってもよい。また、情報機器としては、ＰＣに限定されず、所謂スマートフォンなどの携帯情報端末であってもよい。
【００１５】
本実施形態の情報機器１の機能ブロックについて図１を用いて説明する。本実施形態の情報機器１は、受信部１１と、ＥＰＧチューン検出部１２と、選局部１３と、表示制御部１４と、選択部１５と、制御部１６と、録画再生部１７と、記憶部１８と、内部バス１９とで構成される。
【００１６】
受信部１１は、放送局と接続される複数または複数種のテレビ放送チューナである。受信部１１において、地上波デジタル放送や、ＢＳデジタル放送や、１１０°ＣＳデジタル放送などの放送局から放送番組や、これに付随する番組情報を受信する。付随する番組情報とは、例えば放送波と共に送信される電子番組表（ＥＰＧ）データをいう。本実施形態において、情報機器１と放送局との接続は、有線又は無線のいずれによるものであってもよい。なお、受信部１１としては、テレビ放送チューナに限らず、例えば、インターネット配信される番組を受信するネットワークインターフェース等を含むものであってよい。
【００１７】
ＥＰＧチューン検出部１２は、一方のチューナで受信するデジタル放送番組を特定する番組情報データ中に、この番組情報で特定されるデジタル放送番組に関連する別のデジタル放送番組を特定するＥＰＧチューンが含まれているかどうかを検出する。
【００１８】
選局部１３は、ＥＰＧチューン検出部１２によりＥＰＧチューンが検出されたとき、検出されたＥＰＧチューンに基いて、上述した一方のチューナで受信する番組情報で特定されるデジタル放送番組に関連する、一方のデジタル放送番組とは異なる別のデジタル放送番組を他方の空いている（アイドル状態の）チューナで選局する。ここで、上記『ＥＰＧチューンに基づいて』とは、表示されたＥＰＧチューンを見た視聴者による選局操作に基づく場合を言う。
【００１９】
なお、視聴者の選局操作に代えて、ＥＰＧチューンに基づいて自動的に他方のチューナで選局させる選局信号により選局する構成であってもよい。これにより、制御が簡便になるだけでなく、視聴開始迄のレスポンスタイムを短縮することが可能である。但し、自動制御によれば、他方のチューナを占有してしまうことになり、チューナを使用する他の動作、例えば、全く別の番組や番組表の受信等に影響を与えることとなるため、この影響を少なくするという点では、視聴者による操作に基づく選局が望ましい。これにより、視聴者による操作がなされるまでは、他のチューナにおいて番組表の受信が継続され、より多くの番組表情報を受信することができる。
【００２０】
表示制御部１４は、上述した電子番組表を情報機器１が備えるモニタ画面に表示させる制御を行うことはもちろんのこと、例えば、ＥＰＧチューンで特定される、他方のチューナで放送される別のデジタル放送番組に関する情報（ＥＰＧチューン情報）を放送画面に重ねて表示させる制御を行う。なお、ＥＰＧチューン情報を、視聴者によるマウス等を用いた選択操作を受け付けるアイコンなどのＧＵＩ（Ｇｒａｐｈｉｃａｌ  Ｕｓｅｒ  Ｉｎｔｅｒｆａｃｅ）として表示させる制御を行ってもよい。
【００２１】
選択部１５は、上述の表示されたＥＰＧチューン情報を受けて、視聴者によるリモコン操作やマウス操作などによる選択処理を受け付ける。選択部１５による選択処理を受けて、選局部１３により、他方のチューナにおいて放送される関連するデジタル放送番組に選局される。
【００２２】
制御部１６は、各種プログラムが格納されたＲＯＭ及び情報機器１を駆動させる際に制御部１６が必要とするパラメータ等を一時的に格納するＲＡＭが内蔵される。制御部１６は、上記ＲＯＭに格納されたプログラムを実行することで、情報機器１を駆動させる。
【００２３】
録画再生部１７は、後述する記憶部１８に放送番組を録画し、その録画した放送番組を再生させる機能ブロックである。録画再生部１７は、制御部１６の制御を受けて、ＥＰＧチューンに基いて選局部１３により選局された、他方のチューナにおいて放送される別のデジタル放送番組を自動的に録画することができる。
【００２４】
記憶部１８は、例えばＰＣに内蔵されるＨＤＤや、外付けされるＨＤＤはもちろんのこと、ＤＶＤ等の外部メディアを使用した各種ドライブ装置が該当する。
【００２５】
内部バス１９は、情報機器１の上述した各構成部を電気的に接続し、制御部１６が他の構成部へアクセスするためや、各構成部間でのデータの移動に使用される。
【００２６】
次に、本実施形態の情報機器１におけるＥＰＧチューンを利用した番組選局の概要について図２を用いて説明する。図２（ａ）は、例えば一方のチューナにおいてＢＳ１０１ｃｈで放送される『マリ○ーズｖｓヤン○ース』の野球中継の表示画面１００を表している。表示画面１００の右上には現在選局中の『ＢＳ１０１ｃｈ』のチャンネル表示１０１が表示され、画面下部には、アイコン化されたＥＰＧチューン情報１０２として、≪青：〔ＢＳ１０２ｃｈ〕レン○ャーズｖｓレッ○ソックスへ≫が表示されている。
【００２７】
一方、図２（ｂ）は、例えばＢＳ１０２ｃｈで放送される『レン○ャーズｖｓレッ○ソックス』の野球中継の表示画面２００を表している。表示画面２００の右上には、もう一方の空いているチューナにおいて現在選局中の『ＢＳ１０２ｃｈ』のチャンネル表示２０１が表示されている。なお、図２において、楕円形状の吹き出しにより視聴者の反応を表している。
【００２８】
まず、視聴者は、ＢＳ１０１ｃｈを選局して、表示画面１００で表される『マリ○ーズｖｓヤン○ース』の野球中継を視聴する。このとき視聴者は、この『マリ○ーズｖｓヤン○ース』の野球中継が面白いため録画を実行する（視聴者の反応（１）参照）そして、視聴者は、この画面上に表示されたＥＰＧチューン情報１０２としての≪青：〔ＢＳ１０２ｃｈ〕レン○ャーズｖｓレッ○ソックスへ≫を見て、ＢＳ１０２ｃｈでは『レン○ャーズｖｓレッ○ソックス』の野球中継が放送されていることを認識する。そして、視聴者は、『レン○ャーズｖｓレッ○ソックス』の野球中継を視聴したいと思い、リモコンの青ボタンを押す（視聴者の反応（２）参照）。
【００２９】
その後、もう一方の空いているチューナにおいて、表示画面２００で表される『レン○ャーズｖｓレッ○ソックス』の野球中継が放送されるチャンネルＢＳ１０２ｃｈに選局され、視聴者は『レン○ャーズｖｓレッ○ソックス』の野球中継を面白いと感じ、これを視聴する（視聴者の反応（３）参照）。視聴者は、『レン○ャーズｖｓレッ○ソックス』の野球中継を視聴中、ＢＳ１０１ｃｈで放送中の『マリ○ーズｖｓヤン○ース』の野球中継の様子が気になり始める（視聴者の反応（４）参照）。しかし、『マリ○ーズｖｓヤン○ース』の野球中継は一方のチューナで受信したものが録画されたままであり、視聴者は録画された『マリ○ーズｖｓヤン○ース』の野球中継を後で視聴することができるので安堵する（視聴者の反応（５）参照）。
【００３０】
次に、本実施形態の情報機器１におけるＥＰＧチューンを利用した選局処理手順について図３を用いて説明する。まず、受信部１１を介して一方のチューナによりあるデジタル放送番組を受信する。上述の例で言えば、ＢＳ１０１ｃｈで放送中の『マリ○ーズｖｓヤン○ース』の野球中継を含む放送番組を受信する（ステップＳ１）。
【００３１】
次に、視聴者のリモコン等の操作を受け付けた選局部１３により『マリ○ーズｖｓヤン○ース』の野球中継が放送されるＢＳ１０１ｃｈに選局され、視聴者はこの番組を録画又は視聴する（ステップＳ２）。
【００３２】
次に、ＥＰＧチューン検出部１２により、『マリ○ーズｖｓヤン○ース』の野球中継を特定する番組情報中から、ＥＰＧチューンが検出されたかどうかが判断される（ステップＳ３）。ＥＰＧチューン検出部１２により、ＢＳ１０２ｃｈで放送されている『レン○ャーズｖｓレッ○ソックス』の野球中継を特定するＥＰＧチューンが検出された場合（ステップＳ３、Ｙｅｓ）、これをＥＰＧチューン情報≪青：〔ＢＳ１０２ｃｈ〕レン○ャーズｖｓレッ○ソックスへ≫として表示制御部１４により画面上に表示させる（ステップＳ４）。
【００３３】
その後、画面上に表示されたＥＰＧチューン情報を見た視聴者によるリモコン等の操作を受け付けた選局部１３により、そのＥＰＧチューン情報で特定される『レン○ャーズｖｓレッ○ソックス』の野球中継が放送されるＢＳ１０２ｃｈへ他方のチューナを用いて選局される（ステップＳ５）。
【００３４】
その後、視聴者により、選局部１３により選局された他方のチューナにおけるＢＳ１０２ｃｈで放送される『レン○ャーズｖｓレッ○ソックス』の野球中継の視聴が開始されるか、あるいは、選局部１３からの信号を受けて制御部１６により制御された録画再生部１７により『レン○ャーズｖｓレッ○ソックス』の野球中継が記憶部１８自動的に記録される（ステップＳ６）。
【００３５】
そして、他方のチューナにおけるＢＳ１０２ｃｈで放送される『レン○ャーズｖｓレッ○ソックス』の野球中継が視聴者により視聴されていても、あるいは録画再生部１７により自動的に録画されていても、一方のチューナにおけるＢＳ１０１ｃｈで放送されている『マリ○ーズｖｓヤン○ース』の野球中継の録画あるいは視聴はそのまま継続されることになる（ステップＳ７）。同様に、ステップＳ５において、視聴者によりＥＰＧチューンを活用した選局操作が行われなかったときも、一方のチューナで放送されている『マリ○ーズｖｓヤン○ース』の野球中継をそのまま継続して録画あるいは視聴することができることは言うまでもない。この場合、他方のチューナは使用されないため、当然に別目的で使用することができる。
【００３６】
一方、ステップＳ３において、ＥＰＧチューン検出部１２により、『マリ○ーズｖｓヤン○ース』の野球中継を特定する番組情報中から、ＥＰＧチューンが検出されない場合（ステップＳ３、Ｎｏ）、当然、一方のチューナにおけるＢＳ１０１ｃｈで放送されている『マリ○ーズｖｓヤン○ース』の野球中継の録画あるいは視聴はそのまま継続されることになる（ステップＳ７）。
【００３７】
上述したように、本実施形態の情報機器１によれば、一方のチューナにおいて選局されたチャンネルで放送される番組の番組情報に含まれるＥＰＧチューンに基いて、そのＥＰＧチューンで特定される関連番組が放送されるチャンネルに他方のチューナを用いて選局するので、一方のチューナにおいて選局されたチャンネルで放送される番組の視聴あるいは録画を継続したまま、その番組に関連する（おすすめ）番組に簡単に選局することができる。
【００３８】
なお、上述する各実施の形態は、本発明の好適な実施の形態であり、本発明の要旨を逸脱しない範囲内において種々変更実施が可能である。例えば、上記機能は、アセンブラ、Ｃ言語などのプログラミング言語などで記述されたコンピュータ実行可能なプログラムにより実現することができる。
【００３９】
また、上述した本実施形態の選局処理フローにおいては、表示されたＥＰＧチューン情報を見た視聴者によるリモコン等の操作により、他方のチューナで他番組が放送されるチャンネルに選局する例に基づいて説明したが、これに限定されない。例えば、視聴者が情報機器１の前にいない場合であって、一方のチューナにおいてある番組が録画予約されているとき、その一方のチューナで受信する録画予約番組の番組情報内にＥＰＧチューンを検出した場合、他方のチューナによりそのＥＰＧチューンで特定される関連番組を自動的に録画することとしてもよい。
【符号の説明】
【００４０】
１    情報機器
１１    受信部
１２    ＥＰＧチューン検出部
１３    選局部
１４    表示制御部
１５    選択部
１６    制御部
１７    録画再生部
１８    記憶部
１９    内部バス
１００、２００    表示画面
１０１、２０１    チャンネル表示
１０２    ＥＰＧチューン情報
【図１】
2014158213.tif 000003
【図２】
2014158213.tif 000004
【図３】
2014158213.tif 000005